(57)【要約】【課題】コスト低減等により薄肉化された外装板を用いながら、強度を確保しビビリ音等が発生することの無い空気調和機の室外機を提供する。【解決手段】本体外郭１ａを、底面を形成する基板２と、上面を形成する天板３と、基板２と天板３間に配され本体外郭１ａの側面、前面、後面を形成する外装左側板１３、外装右側板１５、外装前板１７、外装後板１４とで構成し、外装左側板１３、外装右側板１５、外装前板１７、外装後板１４で形成される４つのコーナー部１３ｒ、１４ｒ、１５ｒ、１７ｒに運搬用の取っ手１８ａ〜１８ｄを配置したもので、剛性の高いコーナー部１３ｒ、１４ｒ、１５ｒ、１７ｒに取っ手１８ａ〜１８ｄを配置するので、軽量化、コスト低減等により薄肉化された外装左側板１３、外装右側板１５、外装前板１７、外装後板１４を用いても、強度が不足したり、ビビリ音が発生したりすることがない。【選択図】図１
2008286440.tif 000002
【特許請求の範囲】
【請求項１】
本体外郭を、底面を形成する基板と、上面を形成する天板と、前記基板と前記天板間に配され前記本体外郭の側面、前面、後面を形成する複数の外装板とで構成し、前記外装板で形成される４つのコーナー部に運搬用の取っ手を配置したことを特徴とする空気調和機の室外機。
【請求項２】
本体内に、前記本体の一方の側面と背面に面してＬ型に形成された熱交換器と、前記熱交換器と前記本体の前面間に配されたファン及びそのファンを回転駆動するファンモータとを収納し、前記本体の他方の側面側に、圧縮機等を収納する機械室と、電装品を収納する電装室を形成した請求項１に記載の空気調和機の室外機。
【請求項３】
外装板で形成される４つのコーナー部の曲げ寸法を同一にしたことを特徴とする請求項１又は２に記載の空気調和機の室外機。
【請求項４】
それぞれの取っ手の側面側の開口寸法に対し、前面側及び背面側の開口寸法を大きくしたことを特徴とする請求項１〜３のいずれか１項に記載の空気調和機の室外機。
【請求項５】
それぞれの取っ手が同一形状であることを特徴とする請求項１〜４のいずれか１項に記載の空気調和機の室外機。
【発明の詳細な説明】
【技術分野】
【０００１】
本発明は、空気調和機の室外機に関するもので、特に、室外機の運搬用の取っ手に関するものである。
【背景技術】
【０００２】
従来、この種の空気調和機の室外機の運搬時に利用される取っ手は、一般に室外機の側面や前面あるいは背面の平坦部分に配置されるか（例えば、特許文献１参照）、あるいは、室外機の一方の側面と背面に面してＬ型に形成された熱交換器で形成される角に配置されていた（例えば、特許文献２参照）。
【０００３】
図４は、上記特許文献１に記載された従来の空気調和機の室外機の斜視図である。図４において、従来の空気調和機の室外機１０１において、外装側板１０２と外装前板１０３のそれぞれの平坦部に取っ手１０４が装着されていた。
【０００４】
図５は、上記特許文献２に記載された従来の空気調和機の室外機の要部断面図である。
【０００５】
図５において、従来の空気調和機の室外機１１１は、外装側板１１２と、Ｌ型に形成された熱交換器１１３とを備え、取っ手１１４は、外装側板１１２と熱交換器１１３の間に形成された空間に装着されていた。
【特許文献１】特開平０７−３０１４３４号公報
【特許文献２】特開平０７−０９１６８８号公報
【発明の開示】
【発明が解決しようとする課題】
【０００６】
しかしながら、上記従来の空気調和機の構成では、平坦部に取っ手を配置した場合には、軽量化、コスト低減等により薄肉化された外装側板１０２、外装前板１０３において、強度が不足したり、ビビリ音が発生したりし、また、特に、大型機種等において、複数個の取っ手１０４を必要とする際、仮にＬ型に形成された熱交換器１１３で形成される空間に１つの取っ手１１４を配置しても、他の取っ手１０４を平坦部に配置したのでは、取っ手の種類を増やすことになり経済的でないという課題を有していた。
【０００７】
本発明は、前記従来の課題を解決するもので、軽量化、コスト低減等により薄肉化された外装板においても、強度を確保しビビリ音等の発生の恐れのない箇所に取っ手を配置し、特に大型機種において複数個の取っ手を必要とする際、その種類を増やす必要のない空気調和機の室外機を提供することを目的とする。
【課題を解決するための手段】
【０００８】
前記従来の課題を解決するために、本発明の空気調和機の室外機は、本体外郭を、底面を形成する基板と、上面を形成する天板と、前記基板と前記天板間に配され前記本体外郭の側面、前面、後面を形成する複数の外装板とで構成し、前記外装板で形成される４つのコーナー部に運搬用の取っ手を配置したもので、剛性の高い外装板の４つのコーナー部に取っ手を配置するので、軽量化、コスト低減等により薄肉化された外装板においても、強度が不足したり、ビビリ音が発生したりすることのない空気調和機の室外機を提供することができる。
【発明の効果】
【０００９】
本発明の空気調和機の室外機は、剛性の高い外装板のコーナー部に取っ手を配置するこ
とにより、強度を確保すると共にビビリ音等の発生を防ぎまた、有効スペースでないコーナー部を活用することにより、取っ手の形状の同一化を図ることができる。
【発明を実施するための最良の形態】
【００１０】
第１の発明は、本体外郭を、底面を形成する基板と、上面を形成する天板と、前記基板と前記天板間に配され前記本体外郭の側面、前面、後面を形成する複数の外装板とで構成し、前記外装板で形成される４つのコーナー部に運搬用の取っ手を配置したもので、剛性の高い外装板の４つのコーナー部に取っ手を配置するので、軽量化、コスト低減等により薄肉化された外装板においても、強度が不足したり、ビビリ音が発生したりすることのない空気調和機の室外機を提供することができる。
【００１１】
第２の発明は、特に、第１の発明の本体内に、前記本体の一方の側面と背面に面してＬ型に形成された熱交換器と、前記熱交換器と前記本体の前面間に配されたファン及びそのファンを回転駆動するファンモータとを収納し、前記本体の他方の側面側に、圧縮機等を収納する機械室と、電装品を収納する電装室を形成したもので、本体の重量バランスが良好となるので、本体の左右のかつ前後に位置する取っ手にかかる重さが均一になり、運搬が容易になると共に、一部の取っ手に無理な力が加わることがない。
【００１２】
第３の発明は、特に、第１又は第２の発明の外装板で形成される４つのコーナー部の曲げ寸法を同一にしたもので、外装板の曲げ加工をする金型の曲げ部の形状が標準化されることにより、金型の製作が容易になると共に、品質の安定した空気調和機の室外機を提供することができる。
【００１３】
第４の発明は、特に、第１〜３のいずれか一つの発明のそれぞれの取っ手の側面側の開口寸法に対し、前面側及び背面側の開口寸法を大きくしたもので、特に、大型機種において、奥行き方向の寸法に余裕が無い場合でも、２人で運搬する際、立ち位置が室外機の側面側になるので、手向きが自然体となって無理なく運搬できる空気調和機の室外機を提供できる。
【００１４】
第５の発明は、特に、第１〜４のいずれか一つの発明のそれぞれの取っ手を同一形状としたもので、特に、大型機種において複数個の取っ手を必要とする際、取っ手の種類を増やす必要がないので、経済的な空気調和機の室外機を提供することができる。
【００１５】
以下、本発明の実施の形態について図面を参照しながら説明する。なお、この実施の形態によって本発明が限定されるものではない。
【００１６】
（実施の形態１）
図１は、本発明の第１の実施の形態における空気調和機の室外機の斜視図、図２は同空気調和機の室外機の要部断面図である。
【００１７】
図１及び図２において、本実施の形態における空気調和機の室外機１の本体外郭１ａの底面を形成する基板２と、上面を形成する天板３の間に、前記室外機１の左側面Ａと背面Ｂに面してＬ型に形成された熱交換器４と、前記室外機１の前面Ｄ間にファンモータ取付板５を介してほぼ上下均等に、ファン６及びファン６を回転駆動するファンモータ７で形成される送風回路８、さらに、前記室外機１の他方の側面Ｃに、圧縮機９等を収納する機械室１０及び前記機械室１０の上部に電装品１１を収納する電装室１２等を配置している。
【００１８】
左側面Ａから背面Ｂを囲っている外装左側板１３と、背面Ｂから右側面Ｃを囲っている外装後板１４と、右側面Ｃから前面Ｄを囲っている外装右側板１５、前記送風回路８の前
面に、吹き出グリル１６ａ、１６ｂを装着し、前面Ｄから左側面Ａを囲っている外装前板１７において、取っ手１８ａは、外装左側板１３の左側面Ａと背面Ｂで形成されるコーナー部１３ｒで、前記熱交換器４の左側面Ａと背面Ｂで形成される曲げ部の空間４Ｒに、また取っ手１８ｂは、前記外装後板１４の背面Ｂと右側面Ｃで形成されるコーナー部１４ｒでしかも前記機械室１０と電装室１２の間に、取っ手１８ｃは、外装右側板１５の右側面Ｃと前面Ｄで形成されるコーナー部１５ｒでしかも機械室１０と電装室１２の間に、さらに取っ手１８ｄは、外装前板１７の前面Ｄと左側面Ａで形成されるコーナー部１７ｒでしかも二つの吹き出グリル１６ａ、１６ｂの間にそれぞれ配置されている。
【００１９】
以上のように、本実施の形態では、室外機１の本体外郭１ａは、底面を形成する基板２と、上面を形成する天板３と、基板２と天板３間に配され、本体外郭１ａの両側面、前面、後面を形成する外装左側板１３と、外装右側板１５と、外装前板１７と、外装後板１４とで構成し、外装左側板１３、外装右側板１５、外装前板１７、外装後板１４で形成される４つのコーナー部１３ｒ、１４ｒ、１５ｒ、１７ｒに運搬用の取っ手１８ａ〜１８ｄを配置したものである。
【００２０】
以上のように構成された空気調和機の室外機について、以下その動作と作用について説明する。
【００２１】
まず、取っ手１８ａは、外装左側板１３のコーナー部１３ｒ、取っ手１８ｂは、外装後板１４のコーナー部１４ｒ、取っ手１８ｃは、外装右側板１５のコーナー部１５ｒ、さらに取っ手１８ｄは、外装前板１７のコーナー部１７ｒといったコーナー部を含む２面にまたがってに配置されたことになる。
【００２２】
以上のように本実施の形態によれば、室外機１の底面を形成する基板２と、上面を形成する天板３の間に、前記室外機１の左側面Ａと背面Ｂに面してＬ型に形成された熱交換器４と前記室外機１の前面Ｄ間にファンモータ取付板５を介してほぼ上下均等にファン６及びファンモータ７で形成される送風回路８、さらに前記室外機１の他方の右側面Ｄに圧縮機９等を収納する機械室１０及び前記機械室１０の上部に電装品１１を収納する電装室１２等を配置し、前記左側面Ａから背面Ｂを囲っている外装左側板１３と背面Ｂから右側面Ｃを囲っている外装後板１４と右側面Ｃから前面Ｄを囲っている外装右側板１５、前記送風回路８の前面に吹き出グリル１６ａ、１６ｂを装着し、前面Ｄから左側面Ａを囲っている外装前板１７において、取っ手１８ａは、外装左側板１３の左側面Ａと背面Ｂで形成されるコーナー部１３ｒで、前記熱交換器４の左側面Ａと背面Ｂで形成される曲げ部の空間４Ｒに、また取っ手１８ｂは、前記外装後板１４の背面Ｂと右側面Ｃで形成されるコーナー部１４ｒの前記機械室１０と電装室１２の間に、取っ手１８ｃは、前記外装右側板１５の右側面Ｃと前面Ｄで形成されるコーナー部１５ｒの前記機械室１０と電装室１２の間に、さらに取っ手１８ｄは、前記外装前板１７の前面Ｄと左側面Ａで形成されるコーナー部１７ｒの前記吹き出グリル１６ａ、１６ｂの間にそれぞれ配置することにより、取っ手１８ａは、前記外装左側板１３のコーナー部１３ｒ、取っ手１８ｂは、前記外装後板１４のコーナー部１４ｒ、取っ手１８ｃは、前記外装右側板１５のコーナー部１５ｒ、さらに取っ手１８ｄは、前記外装前板１７のコーナー部１７ｒといったコーナー部を含む２面にまたがってに配置されたことになり、剛性が高まり、軽量化、コスト低減等により薄肉化された外装板において、強度が不足したり、ビビリ音が発生したりすることがなくなる。
【００２３】
また、本実施の形態では、前記外装左側板１３の左側面Ａと背面Ｂで形成されるコーナー部１３ｒと、前記外装後板１４の背面Ｂと右側面Ｃで形成されるコーナー部１４ｒと、前記外装右側板１５の右側面Ｃと前面Ｄで形成されるコーナー部１５ｒと、前記外装前板１７の前面Ｄと左側面Ａで形成されるコーナー部１７ｒの曲げＲ寸法を同一にしており、これにより、外装左側板１３、外装後板１４、外装右側板１５、外装前板１７を製作する
金型の曲げ部を標準化することができ、外装左側板１３、外装後板１４、外装右側板１５、外装前板１７の製作が容易になり品質も安定することになる。
【００２４】
（実施の形態２）
図３は、本発明の第２の実施の形態における空気調和機の室外機の斜視図である。尚、上記第１の実施の形態における空気調和機の室外機と同一部分については、同一符号を付してその説明を省略する。
【００２５】
図３において、実施の形態１の室外機１の取っ手１８ａの背面側寸法Ｆａと側面側寸法Ｓａ、取っ手１８ｂの背面側寸法Ｆｂと側面側寸法Ｓｂ、取っ手１８ｃの前面側寸法Ｆｃと側面側寸法Ｓｃ、取っ手１８ｄの前面側寸法Ｆｄと側面側寸法Ｓｄのそれぞれの関係を、Ｆａ＞Ｓａ、Ｆｂ＞Ｓｂ、Ｆｃ＞Ｓｃ、Ｆｄ＞Ｓｄとし、さらにＦａ、Ｆｂ、Ｆｃ及びＦｄを概ね１００ｍｍ程度、Ｓａ、Ｓｂ、Ｓｃ及びＳｄを概ね４０ｍｍ程度とした構成としている。
【００２６】
以上のように構成された本実施の形態における空気調和機の室外機１について、以下その動作と作用について説明する。
【００２７】
以上のように、各コーナー部１３ｒ、１４ｒ、１５ｒ及び１７ｒに配置された取っ手１８ａ、１８ｂ、１８ｃ、１８ｄにおいて、側面側寸法より前面側、背面側の寸法を大きくし手幅程度を確保している。
【００２８】
以上のように本実施の形態によれば、室外機１の取っ手１８ａの背面側寸法Ｆａと側面側寸法Ｓａ、取っ手１８ｂの背面側寸法Ｆｂと側面側寸法Ｓｂ、取っ手１８ｃの前面側寸法Ｆｃと側面側寸法Ｓｃ、取っ手１８ｄの前面側寸法Ｆｄと側面側寸法Ｓｄの関係を、Ｆａ＞Ｓａ、Ｆｂ＞Ｓｂ、Ｆｃ＞Ｓｃ、Ｆｄ＞Ｓｄとし、側面側寸法より前面側、背面側寸法を大きく確保しているので、奥行き方向の寸法に余裕が無い場合でも、特に大型機種において２人で運搬する際、立ち位置が室外機１の側面側になった場合に手向きが自然体となって無理なく、室外機１を運搬できることになる。
【００２９】
また、本実施の形態では、取っ手１８ａ、１８ｂ、１８ｃ、１８ｄのそれぞれの形状を全く等しくしているので、特に大型機種において、複数個の取っ手を必要とする際でも、取っ手の種類を増やす必要がなく、経済的になる。
【産業上の利用可能性】
【００３０】
本発明に係る空気調和機の室外機は、剛性の高い外装板のコーナー部に取っ手を配置することにより、強度を確保すると共にビビリ音等の発生を防ぎまた、有効スペースでないコーナー部を活用することにより、取っ手の形状の同一化を図ることができるもので、空気調和機の室外機に限らず、給湯器など、外郭が金属板で形成された各種機器に広く適用できる。
【図面の簡単な説明】
【００３１】
【図１】本発明の実施の形態１における空気調和機の室外機の斜視図
【図２】同空気調和機の室外機の要部断面図
【図３】本発明の実施の形態２における空気調和機の室外機の斜視図
【図４】従来の空気調和機の室外機の斜視図
【図５】従来の他の空気調和機の室外機の要部断面図
【符号の説明】
【００３２】
１  室外機
１ａ  本体外郭
２  基板
３  天板
４  熱交換器
１３  外装左側板（外装板）
１３ｒ、１４ｒ、１５ｒ、１７ｒ  コーナー部
１４  外装後板（外装板）
１５  外装右側板（外装板）
１７  外装前板（外装板）
１８ａ〜１８ｄ  取っ手
【図１】
2008286440.tif 000003
【図２】
2008286440.tif 000004
【図３】
2008286440.tif 000005
【図４】
2008286440.tif 000006
【図５】
2008286440.tif 000007